(57)【要約】【課題】回転シャフトと永久磁石の外周面の同心度精度及び回転シャフトの軸心と永久磁石の外周面の寸法精度を確保したロータ体を提供する。【解決手段】モータケース内に回転自在に保持される回転シャフト２と、回転シャフトにその中心部をもって垂直に固定した２個のロータカラー３と、ロータカラーを介して回転シャフトと同軸状に環装保持する永久磁石４と、から構成されたロータ体１において、ロータカラーは永久磁石に内挿可能な基板３１と、基板から永久磁石内径より外径側に突出し、かつ円周等分に形成した３個の突片３３とから成り、ロータカラーの永久磁石への挿入時に突片を曲げ変形させて永久磁石の内周面と摩擦固定する。ロータカラーは突片が基板から曲げ変形し易いように突片部分を基板部分より薄肉状に形成する。各ロータカラーの突片の形成位置は回転シャフトの軸回転方向に相互にずらした位置とする。【選択図】図２
2014236563.tif 000002
【特許請求の範囲】
【請求項１】
モータケース内に回転自在に保持される回転シャフトと、
該回転シャフトにその中心部をもって垂直に固定した１又は複数個の板状のロータカラーと、
該ロータカラーを介して回転シャフトと同軸状に環装保持すると共に異極着磁領域を周面に沿って交互に形成した円筒状の永久磁石と、
から構成されたロータ体において、
上記ロータカラーは、上記永久磁石に内挿可能な形状の基板と、該基板から永久磁石の内径より外径側に突出した２個以上の突片とから成り、
前記ロータカラーを永久磁石への挿入時に前記突片を曲げ変形させて永久磁石の内周面と摩擦固定したことを特徴とするロータ体。
【請求項２】
ロータカラーは、突片に基板から曲げ変形し易い応力集中部を形成したことを特徴とする請求項１記載のロータ体。
【請求項３】
ロータカラーの突片の形成位置は、基板中心部に対して対向位置、又は円周等分の多点位置であることを特徴とする請求項１、又は２記載のロータ体。
【請求項４】
回転シャフトに対して複数個のロータカラーの固定時には、各ロータカラーの突片の形成位置を回転シャフトの軸方向に対して重畳しない位置としたことを特徴とする請求項１、２、又は３記載のロータ体。
【発明の詳細な説明】
【技術分野】
【０００１】
本願発明は、各種ＯＡ機器、家電等に搭載されるステッピングモータの技術分野に属し、特に、その必須構成要素であるロータ体に関する。
【背景技術】
【０００２】
従来から、ＰＭ型（永久磁石型）ステッピングモータの必須構成要素であるロータ体としては、ＳＮ極を交互かつ周方向に着磁させた円筒状の永久磁石をその支持部材である円板状のロータカラー（以下、これに相当する部材については「ロータカラー」と称して用いる。）の外周に環装配置し、このロータカラーを回転シャフトに固定するものがあった。
【０００３】
かかるロータ体としては、軽量化やコスト削減を図るため、上記ロータカラーに軽量金属の板材を採用するものがある。そして、円板状のロータカラーの中央部にプレスのバーリング加工によって圧入口を形成し、この圧入口に回転シャフトを圧入固定すると共に、ロータカラーの外縁部に永久磁石の内周面を接着剤によって一体化した形態のものが開示されている。例えば、特許文献１には、上記ロータカラーに相当する部材が「カップ」として開示されている。
【０００４】
他にも、特許文献２に示すように、回転シャフトの側面の固定部と永久磁石の内周面の固定部とを繋ぎ部をもって板材から一体的に曲げ形成したロータカラー（文献内では「固定部材」。）によって、回転シャフトと永久磁石とを固定するロータ体が開示されている。
【０００５】
また、特許文献３に示すように、回転シャフトに対しては圧入により固定すると共に、多角形に形成したロータカラー（文献内では「ブッシュ部材」。）の外縁部を永久磁石の内周面に食い込むようにして一体化したロータ体が開示されている。
【先行技術文献】
【特許文献】
【０００６】
【特許文献１】特開平０９−２１５２３４号公報
【特許文献２】特開２００８−２７８６４７号公報
【特許文献３】特開２００４−２０８３５３号公報
【発明の概要】
【発明が解決しようとする課題】
【０００７】
特許文献１で開示されているロータ体は、ロータカラーをプレス加工によって形成するため比較的廉価である上、バーリング加工によって圧入口を形成するために回転シャフトを十分な圧入代をもって固定可能である。しかし、ロータカラーと永久磁石の固定は、両者の間隙の全周に渡って高価な接着剤を充填する必要があり、接着作業が煩雑である上に、その充填量や硬化時間の管理も煩雑であった。
【０００８】
また、特許文献２で開示されているロータ体は、接着剤が不要な点で特許文献１のロータ体よりは有利である。一方、ロータ体の永久磁石の外周面は、ステータの内周面と所定エアギャップ（間隙）をもって対向するため、回転シャフトの回転軸と永久磁石の外周面の同心度には高い精度が要求されていた。したがって、このロータ体は、回転シャフトと永久磁石を一体化するロータカラーの各部もその曲げ加工に高い精度が要求され、永久磁石の内外径の同心度にも高い加工精度が要求されていた。この結果、製造コストが嵩むものであった。
【０００９】
特許文献３で開示されているロータ体は、ロータカラーの外縁部を多角形に形成し、その外縁部を永久磁石の内周面に食い込ませて一体化しているため、接着剤が不要となる上に、寸法精度の確保も容易と考えられる。しかし、このロータ体は、上記外縁部を永久磁石側に食い込ませているため、その加工時や加工後の永久磁石に割れやヒビが発生するおそれがあり、その品質管理が困難なものであった。
【００１０】
そこで、本願発明は、上記課題に着目してなされたものであり、簡易な構成でありながら回転シャフトと永久磁石の外周面の同心度精度及び回転シャフトの軸心と永久磁石の外周面の寸法精度を確保したロータ体を提供する。
【課題を解決するための手段】
【００１１】
上記の課題を解決するため本願発明にかかるロータ体は、以下のように構成している
【００１２】
すなわち、モータケース内に回転自在に保持される回転シャフトと、該回転シャフトにその中心部をもって垂直に固定した１又は複数個の板状のロータカラーと、該ロータカラーを介して回転シャフトと同軸状に環装保持すると共に異極着磁領域を周面に沿って交互に形成した円筒状の永久磁石と、から構成されたロータ体において、上記ロータカラーは、上記永久磁石に内挿可能な形状の基板と、該基板から永久磁石の内径より外径側に突出した２個以上の突片とから成り、前記ロータカラーを永久磁石への挿入時に前記突片を曲げ変形させて永久磁石の内周面と摩擦固定したことを特徴としている。
【００１３】
このロータカラーは、軽量金属の板材から形成し、上記突片を曲げによって塑性変形させると共に、曲げ変形後は突片の永久磁石の内周面への当接面積とその弾発力によって発揮される摩擦力によって永久磁石を固定している。
【００１４】
また、前記ロータカラーは、突片に基板から曲げ変形し易い応力集中部を形成したことを特徴としている。この応力集中部は突片部分を基板部分より薄肉状に形成したり、または突片と基板間に薄肉状とした溝を形成したりするようにしても良い。この構成により、突片の応力集中部に曲げ応力が集中し、突片のみの曲げ変形が容易になる。
【００１５】
また、ロータカラーの突片の形成位置は、基板中心部に対して対向位置、又は円周等分の多点位置であることを特徴としている。例えば、突片を２個形成した場合には、基板中心部に対して対向位置に形成することであり、３個以上であれば、基板中心部に対して円周等分位置に形成すれば良い。これにより、突片の永久磁石に対する曲げ変形後の摩擦固定位置が均等となり、両者の固定状態が安定する。なお、突片はロータカラーに円周等分で３個以上形成することが好適である。
【００１６】
さらに、回転シャフトに対して複数個のロータカラーの固定時には、各ロータカラーの突片の形成位置が回転シャフトの軸方向に対して重畳しない位置としたことを特徴としている。例えば、回転シャフトに２個のロータカラーを固定する場合、ロータカラーの突片が各ロータカラー間で回転シャフトの軸回転方向にずれていることを示す。より具体的には、突片が２個である場合、ロータカラー間でその形成位置を回転シャフトの軸回転方向に１８０度回転した位置とすることが挙げられる。また、突片が３個であれば、同様に６０度回転した位置、突片が４個であれば、同様に４５度回転した位置が挙げられる。なお、ロータカラーの固定個数は、永久磁石の高さ寸法にもよるが、少なくとも２個以上の複数個を配置することが好適である。
【００１７】
上記構成のロータ体は、ロータカラーの突片を曲げ変形させて永久磁石を摩擦固定する形態を特徴とするため、ロータ体を組み立てる組立治具についても以下に説明する。
【００１８】
かかる組立治具は、回転シャフト周囲に空隙をもって永久磁石を同軸状に配置可能とし、少なくとも回転シャフトの軸線と永久磁石の外周面の同心度を芯出しする芯出治具と、該芯出治具に配置した回転シャフトとの干渉を避ける回避孔を中央部に形成すると共に、ロータカラーの突片や前記回避孔以外に当接して上記回転シャフトの所定位置までロータカラーを圧入する円筒状の圧入治具と、から構成する
【００１９】
また、上記の芯出治具と圧入治具に加え、上記モータの回転シャフトの外周位に配置した上記圧入治具に外嵌すると共に、圧入治具の全体を案内手段として、永久磁石の端部に当接して上記芯出治具の配置位置に永久磁石を押し込む押込治具と、から構成しても良い。
【００２０】
かかる構成の組立治具は、以下のように使用に供する。なお、回転シャフトとロータカラーの固定手段として、ロータカラーの中心部に回転シャフトを圧入固定する圧入口を開孔した例として説明する。
【００２１】
まず、芯出治具の所定位置に回転シャフト及び永久磁石を配置する。
次に、突片が半径方向に拡張したロータカラーを、上記圧入口に回転シャフトの先端側の一部が挿入するように配置する。
その後、ロータカラーの突片及び圧入口以外の部分に圧入治具を当接させ、圧入治具を介してロータカラーを回転シャフトに圧入する。回転シャフトが圧入口部分を通過した後は、回転シャフトとの干渉を回避孔で避けつつ、更にロータカラーを永久磁石側に圧入する。この時、ロータカラーの突片は、永久磁石の内周面の母線方向に倣いつつ、押し込み方向と逆方向に曲げ変形（塑性変形）する。
上記ロータカラーが回転シャフトに対して所定高さに達したら圧入治具を止め、圧入治具を芯出治具から取り出す。この時、ロータカラーは回転シャフトの所定位置を圧入によって固定し、塑性変形した突片は永久磁石の内周面を半径方向の外側に押し出す弾発力と当接部分によって発揮される摩擦力により固定している。
そして、次のロータカラーを上記と同様に圧入治具で圧入しつつその突片を曲げ変形させ、ロータカラーを回転シャフトの軸延長方向に多段状に固定し、回転シャフトと永久磁石を複数個のロータカラーを介して一体化させる。
所定数のロータカラーの圧入が終了したら、圧入治具を芯出治具から取り出し、最後に、芯出治具からロータ体を取り出す。
【００２２】
この組立治具は、予め回転シャフトと永久磁石の外周面との同心度を決め、これに合わせてロータカラーの突片を永久磁石の内周面に倣わせて曲げ変形させている。このため、ロータ体は、回転シャフトと永久磁石、特にその外周面については良好な同心度精度を確保できる。
【００２３】
ロータカラーを２段、又は多段状に複数個配置する場合であって、ロータカラーの突片の曲げ変形方向を異なる方向に設定したい場合は、以下の方法でロータ体を組み立てることも可能である。
【００２４】
すなわち、回転シャフト及び永久磁石を芯出治具に配置し、任意のロータカラーの圧入と突片の曲げ変形が完了した後に、回転シャフト、任意のロータカラー、及び永久磁石が一体化したロータ体を、一旦、芯出治具から取り出した上で上下を引っ繰り返し、この引っ繰り返したロータ体を改めて芯出治具に配置し、上記と同様に圧入治具を介して次のロータカラーを圧入し、突片を曲げ変形させる使用方法である。
【００２５】
また、上記の芯出治具及び圧入治具に加えて、永久磁石用の押込治具を用いた場合は、以下のように使用に供する。
【００２６】
まず、芯出治具の所定位置に回転シャフトのみを配置し、次に、突片が半径方向に拡張したロータカラーを、その圧入口に回転シャフトの先端側の一部が挿入するように配置する。
その後、ロータカラーの突片及び圧入口以外の部分に圧入治具を当接させ、圧入治具を介してロータカラーを回転シャフトに圧入する。回転シャフトが圧入口部分を通過した後は、回転シャフトとの干渉を回避孔で避けつつ、更にロータカラーを回転シャフトに対して所定位置まで圧入する。
次に、圧入治具を上記位置に置いたまま、永久磁石を芯出治具の所定位置に配置する。この時、圧入済みのロータカラーの突片はその半径方向に拡張しているため、永久磁石は途中で停止する。
そして、押込治具を圧入治具に外嵌させつつ永久磁石の上端部に当接させ、圧入治具の全体を案内手段として永久磁石を芯出治具側に押し込む。この時、ロータカラーの突片は、永久磁石の下端部によって押し込み方向側に曲げ変形し始め、さらに押し込まれると永久磁石の内周面に倣いつつ曲げ変形（塑性変形）することとなる。
次に、圧入治具と押込治具を芯出治具から抜き取り、突片が半径方向に拡張した次のロータカラーを、その圧入口に回転シャフトの先端側の一部が挿入するように配置する。
その後、ロータカラーの突片及び圧入口以外の部分に圧入治具を当接させ、圧入治具を介してロータカラーを回転シャフトに圧入する。
回転シャフトが圧入口部分を通過した後は、回転シャフトとの干渉を回避孔で避けつつ、更にロータカラーを永久磁石側に圧入し、ロータカラーの突片を、永久磁石の内周面に倣わせつつ、押し込み方向と逆方向に曲げ変形（塑性変形）させる。
上記ロータカラーが回転シャフトに対して所定高さに達したら圧入治具を止め、圧入治具を取り出す。
最後に、芯出治具からロータ体を取り出す。
【発明の効果】
【００２７】
上記のように構成した本願発明のロータ体は、以下のような技術的な効果を奏する。
【００２８】
すなわち、ロータカラーの複数個の突片がその曲げ変形による弾発力をもって永久磁石の内周面へ当接するため、各突片と前記内周面に摩擦力が発生し、この摩擦力によってロータカラーと永久磁石との固定が可能となる。この結果、回転シャフト、ロータカラー、及び永久磁石が、十分な一体性を確保したロータ体を提供できる。加えて、従来は必要としていた高価、かつ煩雑な固定作業を要する接着剤が不要となり、引いてはステッピングモータ全体の製造コストの削減も図れる。
【００２９】
また、ロータ体は、回転シャフトの軸心と永久磁石の外周面の同心度精度を予め設定し、これに適合するようにロータカラーの突片を曲げ変形させる組み立てが可能なため、前記の同心度精度、及び永久磁石の外周面の回転シャフトの軸中心からの寸法精度の確保も容易となる。
【図面の簡単な説明】
【００３０】
【図１】本実施例のロータ体を備えたステッピングモータの一部切り欠き縦断面図である。
【図２】本実施例のロータ体を示す一部切り欠き斜視図である。
【図３】本実施例のロータ体のロータカラーを示す一部切り欠き斜視図（Ａ）、（Ｂ）である。
【図４】本実施例のロータ体用の組立治具を示す一部切り欠き組立斜視図である。
【図５】本実施例のロータ体用の組立治具の使用方法を示す説明図（Ａ）、（Ｂ）である。
【図６】本実施例のロータ体用の組立治具の使用方法を示す説明図（Ｃ）、（Ｄ）である。
【発明を実施するための形態】
【００３１】
以下に、本願発明のロータ体に関し、その最良の実施形態例を図面に基づいて説明する。
【００３２】
まず、図示符号Ｍは、上記ロータ体１を必須の構成要素とするステッピングモータ（以下、「モータ」と略称する。）である。
【００３３】
本実施例のモータＭは、図１に示すように、主にモータＭのモータケースＯの内部に円筒状のステータＳを２段状に配置し、このステータＳの中央内部空間にロータ体１を２個の軸受Ｂをもって回転自在に配置して成る構成である。
【００３４】
モータケースＯからは回転シャフト２の一部が突出してモータ全体の出力部２１を成している。また、ステータＳは、コイルＣを捲回した略円筒体をその厚さ方向に２段重ねた２層構造とし、全体的にも中央内部空間を形成した円筒状を呈している。
【００３５】
なお、モータＭやステータＳの基本的な構成は、従来技術と同様であるため、これ以上の詳細な説明は省略する。
【００３６】
次に、本願発明の主眼であるロータ体１について説明する。
ロータ体１は、モータＭの回転力を出力する回転シャフト２の軸延長方向に所定間隔にて２個の円板状のロータカラー３を固定し、さらにこのロータカラー３に外縁部に円筒状の永久磁石４を回転シャフト２と同軸状に固定し、前記回転シャフト２、２個のロータカラー３、及び永久磁石４の全体を一体化させて構成している。
【００３７】
かかるロータ体１は、ステータＳの中央内部空間に、モータケースＯに配置した上下２個の軸受Ｂによって、回転シャフト２の両端部側を軸支持されてステータＳに対して回転自在に配置される。
【００３８】
上記ロータカラー３は、永久磁石４に内挿可能な略円板状にメッキ鋼板から形成した基板３１と、この基板３１の中央に回転シャフト２を圧入状態で固定する圧入口３２を形成している。また、一方側の基板３１の圧入口３２の周囲には、ロータカラー３の剛性向上と回転シャフト２との圧入寸法を確保するため、肉厚としたボス部３２ａを形成している。
【００３９】
また、ロータカラー３の基板３１の外縁部には、ボス部形成側に薄肉状とし、かつ永久磁石４の内径寸法より外側に突出した突片３３を円周等分で３箇所形成している。この突片３３は、上面視で外側が短い台形状（又は爪状）を成すと共に、基板３１との接続部において永久磁石４の内周面４２の母線方向に倣うように曲げにより塑性変形する（矢印ａ）。また、３個の突片３３は、この曲げ変形後は外側へ拡張する弾発力（矢印ｂ）と永久磁石４の内周面４２への当接状態によって発揮される摩擦力をもって、永久磁石４の全体を固定する。さらに、突片３３は、上記の薄肉状とすることによって応力集中部を成し、曲げ応力の集中性を高めることにより突変３３の基板３１からの曲げ変形を容易にしている。
【００４０】
なお、本実施例のロータ体１は、２個のロータカラー３を回転シャフト２の軸延長方向に２段状に２個の配置としているが、突片３３の位置はロータカラー毎に回転シャフト２の軸方向に重畳しない位置、具体的には回転シャフト１の軸回転方向に対して６０度ずれた位置となるように、ロータカラー全体を回転させて固定している。
【００４１】
ロータカラー３の外縁部に固定する永久磁石４は、ロータカラー３の突片３３の曲げ変形時の弾発力や変形後の摩擦力に耐え得る適度な剛性を有するフェライト、アルニコ、サマリウムコバルト、ネオジムから適宜に選択した焼結系のものから構成している。
【００４２】
この永久磁石４は、ロータカラー３と摩擦固定する内周面４２と、ＳＮ極の着磁域を周方向に交互にかつ所定ピッチで連続的に形成した外周面４１と、から円筒状を呈するように形成している。
【００４３】
永久磁石４の外周面４１は、ロータ体１を成してステータＳの中央内部空間に配置された場合、ステータＳのヨークの各磁極（図示省略）と所定ギャップ（間隙）をもって対向する。
【００４４】
本実施例のロータ体１は上記構成であるが、以下のようにその構成を変更しても良い。
【００４５】
すなわち、永久磁石４を固定するロータカラー３は、回転シャフト２に対して２段配置に限定するものでなく、モータＭの仕様（例えば、要求トルク）によっては、１段、３段、それ以上の複数個の配置に適宜に変更しても良い。
【００４６】
また、上記実施例のロータカラー３の突片３３は、曲げによる塑性変形後の永久磁石４の内周面４２へ摩擦力を発揮する面積や曲げ変形時の所謂肉逃げスペースを確保するために上記の台形状を成し、かつ３個としているが、この形状に限定するものではない。つまり、上記永久磁石４を固定し得る摩擦力を発揮する面積と、変形後の肉逃げスペースを確保できるものであれば、矩形、三角形、半円形と適宜に変更可能であり、その個数も適宜に増減しても良い。また、突片３３の応力集中部としては、突片全体を薄肉状にするだけでなく、基板３１との間に溝を形成するようにしても良い。
【００４７】
ロータカラー３の材質についても、突片３３やボス部３２ａをプレス加工やバーリング加工によって容易に形成できるために、かかる加工が容易なメッキ鋼板を採用しているが、この材質に限定するものではない。つまり、ロータカラー３の材質は、所定の剛性を確保でき、塑性変形、弾性変形、摩擦係数の所定性状を有するのであればアルミ等の他の金属材としても良い。
【００４８】
さらに、ロータカラー３と永久磁石４の回転時のずれを防止するため、ロータカラー３の突片３３の他に、例えば、ロータカラー３の外縁部と永久磁石４の内周面４２の両者に相互に適合する凹凸部を予め形成し、これを係合させる構成としても良い（図示省略）。
【００４９】
本実施例のロータ体１は、ロータカラー３の突片３３を曲げ変形させて永久磁石４を摩擦固定する形態を特徴とするため、ロータ体１を組み立てる具体的な組立治具５の実施例についても以下に説明する。
【００５０】
本実施例の組立治具５は、主に芯出治具５１と、この芯出治具５１に一部を挿入可能な圧入治具５２、及び押込治具５３の３要素から構成している。
【００５１】
まず、芯出治具５１は永久磁石４の全体が挿入可能な略有低筒状を呈し、中央部に回転シャフト２を立設配置するシャフト孔５１ａを貫通形成すると共に、その周囲に一部が底面部５１ｂから迫り上がった平面状の当接面５１ｃを形成して構成している。
【００５２】
上記当接面５１ｃは、ロータカラー３の突片３３を除いた基板３１とほぼ同じ面積の円形に形成している。一方、芯出治具５１の底面部５１ｂは、上記当接面５１ｃの形成によって永久磁石４の一方の端面側を挿入した立設配置が可能となるリング状の溝を呈している。
【００５３】
芯出治具５１は、回転シャフト２と永久磁石４を配置した場合に回転シャフト２の軸線と永久磁石の外周面４１の同心度を芯出し可能とすると共に、回転シャフト２の軸線と永久磁石４の外周面４１との半径方向の寸法精度を確保している。また、前記寸法に加え、回転シャフト２に対して永久磁石４のアキシャル方向の位置も設定している。
【００５４】
圧入治具５２は、芯出治具５１に配置した状態の永久磁石４の内部側に所定の隙間をもって挿入可能な略円筒状に形成して構成している。圧入治具５２は、その中央部に芯出治具５１に配置した回転シャフト２との干渉を避ける回避孔５２ａを貫通形成し、一方の端部側（図面下側）にはロータカラー３の圧入口３２を除いた基板３１に当接可能な圧入面５２ｂを形成すると共に、圧入面側の回避孔周囲をさらに拡径した逃穴５２ｃを形成している。上記圧入面５２ｂは、芯出治具５１の当接面５１ｃとほぼ同じ面積を有している。
【００５５】
押込治具５３は、一端側が永久磁石４とほぼ同じ直径寸法を有し、他端側がこれより拡径したフランジ部５３ｃを有する略円筒状に形成して構成している。また、押込治具５３は、その中央部に上記圧入治具５２の全体を案内手段として嵌合するガイド穴５３ａを貫通形成し、反フランジ側の端部（図面下側）を永久磁石４の上端部に当接可能な押込面５３ｂを形成している。
【００５６】
かかる構成の組立治具５は、以下のように使用に供し、本実施例のロータ体１を組み立てることができる。
【００５７】
まず、芯出治具５１を平盤面に裁置し、そのシャフト孔５１ａに回転シャフト２を立設状に配置する。
【００５８】
次に、突片３３が半径方向に拡張した状態のロータカラー３を、ボス部３２ａの反対側の圧入口３２に回転シャフト２の上端部が一部挿入するように配置する。
【００５９】
このロータカラー３の配置後、その圧入口３２を除く基板３１に圧入治具５２の圧入面５２ｂを当接させ、圧入治具５２を介してロータカラー３を回転シャフト２に圧入する。この時、圧入治具５２には逃穴５２ｃを拡張形成しているため、ボス部３２ａと圧入面５２ｂとの干渉は回避されている。
【００６０】
回転シャフト２が圧入口部分を通過した後は、回転シャフト２の干渉を回避孔５２ａによって回避し、更にロータカラー３を芯出治具側に圧入し（矢印ｃ）、ロータカラー３の基板３１を芯出治具５１の当接面５１ｃに押し当てて停止させる。この時、ロータカラー３の突片３３は芯出治具５１の当接面５１ｃから外側に突出している。
【００６１】
次に、圧入治具５２の当該位置に圧入時の押し下げ力を維持したまま、芯出治具５１に永久磁石４を配置する。この時、上記ロータカラー３の突片３３はその半径方向に拡張しているため、永久磁石４の下端部が突片３３に引っ掛かり途中で停止することとなる。
【００６２】
この後、押込治具５３を、そのガイド穴５３ａを圧入治具５２に嵌合させて案内手段とすると共に、押込面５３ｂを永久磁石４の上端側に押し当てつつ芯出治具側に押し込む（矢印ｄ）。この時、ロータカラー３の突片３３は、永久磁石４の下端部によって押し込み方向に曲げ変形し始め、さらなる押し込みにより内周面４２に倣いつつ曲げ変形（塑性変形）する。一方、ロータカラー３の基板３１は、圧入治具５２の押し下げ力を維持しているため、芯出治具５１の当接面５１ｃからの浮き上がりが抑制されている。
【００６３】
次に、圧入治具５２と押込治具５３の両方を芯出治具５１から抜き取り（矢印ｅ）、突片３３が半径方向に拡張した次のロータカラー３をボス部側の圧入口３２に回転シャフト２の上端部が一部挿入するように配置する。この時、ロータカラー３の突片３３の位置は、先のロータカラー３の突片３３とは回転シャフト２軸回転方向に所定角度（本実施例では６０度）ずらし、上下で重畳しないようにする。
【００６４】
ロータカラー３の配置後、その圧入口３２及び突片３３以外の基板３１に圧入治具５２の圧入面５２ｂを当接させ、圧入治具５２を介してロータカラー３を回転シャフト２に圧入する。
【００６５】
そして、回転シャフト２がロータカラー３の圧入口部分を通過した後は、回転シャフト２との干渉を回避孔５２ａで避けつつ、更にロータカラー３を永久磁石側に圧入する（矢印ｆ）。この圧入により、ロータカラー３の突片３３が永久磁石４の上端面により曲げ変形し始め、さらにその内周面４２に倣いつつ、押し込み方向と逆方向に曲げ変形（塑性変形）する。
【００６６】
上記の圧入治具５２の圧入距離が、回転シャフト２に対して所定高さに達したら圧入治具５２の圧入を止め、圧入治具５２を回転シャフト２から取り出す。
【００６７】
最後に芯出治具５１から回転シャフト２、２個のロータカラー３、永久磁石４とを一体化したロータ体１を取り出す。この組立治具５で組み立てたロータ体１は、予め回転シャフト２と永久磁石４の外周面４１と同心度が確保されており、これに合わせてロータカラー３の突片３３を曲げ変形させているため、回転シャフト２と永久磁石４の外周面４１について良好な同心度精度を確保できるだけでなく、回転シャフト２の軸中心から永久磁石４の外周面４１の半径方向の寸法精度も確保されている。
【符号の説明】
【００６８】
１  ロータ体
２  回転シャフト
２１  出力部
３  ロータカラー
３１  基板
３２  圧入口
３２ａ  ボス部
３３  突片
４  永久磁石
４１  外周面
４２  内周面
５  組立治具
５１  芯出治具
５１ａ  シャフト孔
５１ｂ  底面部
５１ｃ  当接面
５２  圧入治具
５２ａ  回避孔
５２ｂ  圧入面
５２ｃ  逃穴
５３  押込治具
５３ａ  ガイド穴
５３ｂ  押込面
５３ｃ  フランジ部
Ｍ  モータ
Ｓ  ステータ
Ｃ  コイル
Ｂ  軸受
Ｏ  モータケース
【図１】
2014236563.tif 000003
【図２】
2014236563.tif 000004
【図３】
2014236563.tif 000005
【図４】
2014236563.tif 000006
【図５】
2014236563.tif 000007
【図６】
2014236563.tif 000008